(57)【特許請求の範囲】
【請求項１】
建物の外装として配置される防水ユニットであって、
板状のプレートと、前記プレートよりも上に配置される断熱材と、前記断熱材よりも上に配置される押さえボードと、押さえボードよりも上に形成される防水部と、
前記押さえボードから前記プレートまでを貫通し、前記押さえボード、前記断熱材及び前記プレートを互いに固定する固定具と、を備え、
前記プレートは、前記固定具が貫通する位置に対応した凹部を有し、
前記固定具の先端は、前記固定具の貫通方向に直交する方向から見たときに、前記凹部の内側に収まっている、防水ユニット。
【請求項２】
建物の外装として配置される防水ユニットであって、
板状のプレートと、前記プレートよりも上に配置される断熱材と、前記断熱材よりも上に配置される押さえボードと、押さえボードよりも上に形成される防水部と、
前記押さえボードから前記プレートまでを貫通し、前記押さえボード、前記断熱材及び前記プレートを互いに固定する固定具と、を備え、
前記プレートには、前記プレートの外縁から前記押さえボードの上方まで立ち上がる立ち上がり部が設けられている、防水ユニット。
【請求項３】
建物の外装として配置される防水ユニットであって、
板状のプレートと、前記プレートよりも上に配置される断熱材と、前記断熱材よりも上に配置される押さえボードと、押さえボードよりも上に形成される防水部と、
前記押さえボードから前記プレートまでを貫通し、前記押さえボード、前記断熱材及び前記プレートを互いに固定する固定具と、を備え、
前記プレートと前記断熱材との間には、不燃材が配置されている、防水ユニット。
【請求項４】
前記固定具は、ビスであって、
前記ビスは、その先端が前記プレートから突出するように前記押さえボードから前記プレートまでを貫通し、
前記プレートから突出した前記ビスの先端は、被覆部材によって被覆されている、請求項１〜３のいずれか一項に記載の防水ユニット。
【請求項５】
前記固定具は、ボルトであって、
前記ボルトは、その先端が前記プレートから突出するように前記押さえボードから前記プレートまでを貫通し、
前記プレートから突出した前記ボルトの先端にはナットが螺合されている、請求項１〜３のいずれか一項に記載の防水ユニット。
【請求項６】
水勾配を形成するための勾配材が前記断熱材の下若しくは上に配置されている、又は、水勾配が前記断熱材に形成されている、請求項１〜５のいずれか一項に記載の防水ユニット。
【請求項７】
前記押さえボードの外縁から立ち上がる立ち上がり部を備えている、請求項１、３〜５のいずれか一項に記載の防水ユニット。
【請求項８】
建物の外装として配置される防水ユニットの製造方法であって、
板状のプレートよりも上に断熱材を配置し、前記断熱材よりも上に押さえボードを配置し、前記押さえボードよりも上に防水部を形成する工程と、
前記押さえボードから前記プレートまでを貫通する固定具によって、前記押さえボード、前記断熱材及び前記プレートを互いに固定する工程と、を備え、
前記プレートは、前記固定具が貫通する位置に対応した凹部を有し、
前記固定する工程では、前記固定具の貫通方向に直交する方向から見たときに、前記固定具の先端が前記凹部の内側に収まるように、前記固定具を前記押さえボード、前記断熱材及び前記プレートに貫通させる、防水ユニットの製造方法。
【請求項９】
建物の外装として配置される防水ユニットの製造方法であって、
板状のプレートよりも上に断熱材を配置し、前記断熱材よりも上に押さえボードを配置し、前記押さえボードよりも上に防水部を形成する工程と、
前記押さえボードから前記プレートまでを貫通する固定具によって、前記押さえボード、前記断熱材及び前記プレートを互いに固定する工程と、を備え、
前記プレートの外縁には上方に立ち上がる立ち上がり部が形成されており、
前記固定する工程では、前記立ち上がり部が前記押さえボードの上方まで延在するように、前記押さえボード、前記断熱材及び前記プレートを互いに固定する、防水ユニットの製造方法。
【請求項１０】
建物の外装として配置される防水ユニットの製造方法であって、
板状のプレートよりも上に不燃材を配置し、前記不燃材よりも上に断熱材を配置し、前記断熱材よりも上に押さえボードを配置し、前記押さえボードよりも上に防水部を形成する工程と、
前記押さえボードから前記プレートまでを貫通する固定具によって、前記押さえボード、前記断熱材及び前記プレートを互いに固定する工程と、を備える、防水ユニットの製造方法。
【発明の詳細な説明】
【技術分野】
【０００１】
本発明は、防水ユニットに関する。
【背景技術】
【０００２】
特許文献１には、溝部が形成された折板と、折板の裏側に設けられた断熱材とからなる樋ユニットが開示されている。この樋ユニットにおける折板は、表面に防水用の塩化ビニルシートが設けられた鋼製の薄板を曲げ加工したものであり、溝部及び溝部の縁から水平方向に延在する平坦部を備えている。この溝部及び平坦部の裏面には、ポリスチレン製の断熱材が設けられている。
【先行技術文献】
【特許文献】
【０００３】
【特許文献１】特開平１１−２２２９２０号公報
【発明の概要】
【発明が解決しようとする課題】
【０００４】
特許文献１に記載の樋ユニットのように、表面に防水用の塩化ビニルシートを備えた折板に対して断熱材を設ける場合、例えば、接着剤を用いて断熱材を接着する方法が考えられる。しかしながら、ポリスチレンのような発泡系の断熱材を接着によって固定する場合、接着剤の塗布範囲、塗布量、養生時間等の管理が必要になる。このような管理によって十分な接着が確保されなければ、搬送時や施工時に、断熱材が剥離したり脱落したりする虞がある。
【０００５】
本発明は、断熱材の剥離や脱落を抑制し、施工性や搬入性が向上した防水ユニットを提供することを目的とする。
【課題を解決するための手段】
【０００６】
本発明は、建物の外装として配置される防水ユニットであって、板状のプレートと、プレートよりも上に配置される断熱材と、断熱材よりも上に配置される押さえボードと、押さえボードよりも上に形成される防水部と、押さえボードからプレートまでを貫通し、押さえボード、断熱材及びプレートを互いに固定する固定具と、を備えている。
【０００７】
この防水ユニットでは、押さえボード、断熱材及びプレートが、押さえボードからプレートまでを貫通する固定具によって一体化されている。これにより、従来必要であったと考えられる、断熱材を接着する際の接着剤の塗布範囲、塗布量、養生時間等の管理が不要となる。また、接着剤のみによって断熱材を固定する場合に比べて、断熱材をより確実に固定することができるため、施工時や搬入時における断熱材の剥離や脱落を抑制することができる。したがって、施工性や搬入性が向上した防水ユニットを提供することができる。
【０００８】
また、固定具はビスであって、ビスは、その先端がプレートから突出するように押さえボードからプレートまでを貫通し、プレートから突出したビスの先端は、被覆部材によって被覆されていてもよい。キャップ等の被覆部材によって、ビスの先端を被覆することができるので、ビスの先端が他の建築部材を傷つけることを防止できる。また、防水ユニットを取り扱う作業者がビスの先端に触れることを防止することができる。
【０００９】
また、固定具はボルトであって、ボルトは、その先端がプレートから突出するように押さえボードからプレートまでを貫通し、プレートから突出したボルトの先端にはナットが螺合されていてもよい。ナットによって、ボルトが抜けることを防止することができ、押さえボードからプレートまでをより確実に固定することができる。
【００１０】
また、プレートは、固定具が貫通する位置に対応した凹部を有し、固定具の先端は、固定具の貫通方向に直交する方向から見たときに、凹部の内側に収まっていてもよい。固定具の先端が凹部内に収まっているため、当該先端によって他の建築部材が傷付けられることが抑制される。また、防水ユニットを平坦な屋根下地の上に載置しても、固定具の先端が屋根下地と干渉することがない。
【００１１】
また、水勾配を形成するための勾配材が断熱材の下若しくは上に配置されている、又は、水勾配が断熱材に形成されていてもよい。このように形成されることで、雨水の排水を速やかに行うことができる。
【００１２】
また、プレートの外縁から押さえボードの上方まで立ち上がる立ち上がり部を備えていてもよく、押さえボードの外縁から立ち上がる立ち上がり部を備えていてもよい。施工手間がかかる防水シートの立ち上がり部を含めて予めユニット化することができ、現場での施工性を向上させることができる。
【００１３】
また、プレートと断熱材との間には、不燃材が配置されていてもよい。不燃材を配置することで、耐火性を向上できる。また、不燃材として断熱材よりも剛性の高い板材を用いることで、強度の向上にも有利となる。
【発明の効果】
【００１４】
本発明によれば、断熱材の剥離や脱落を抑制し、施工性や搬入性が向上した防水ユニットを提供することができる。
【図面の簡単な説明】
【００１５】
【図１】一の実施形態に係るパラペット防水ユニットを備えて構成された屋根の平面図である。
【図２】図１のＩＩ−ＩＩ線に沿った断面図であり、（ａ）はパラペット防水ユニット及び屋根ユニットを組み付ける手前の分解図であり、（ｂ）はパラペット防水ユニット及び屋根ユニットを組み付けた状態を示す図である。
【図３】屋根ユニット同士の接合部分を説明するための分解図である。
【図４】（ａ）は屋根ユニットの端部に配置された支持材を示す断面図であり、（ｂ）は（ａ）のｂ−ｂ線に沿った断面図である。
【図５】パラペット防水ユニット及び屋根ユニットの建物との接合部分を説明するための分解図である。
【図６】屋根構造の勾配を示す平面図である。
【図７】他の実施形態に係る屋根防水ユニット及び屋根ユニットの断面図であり、（ａ）は各ユニットを組み付ける手前の分解図であり、（ｂ）は各ユニットを組み付けた状態を示す図である。
【図８】さらに他の実施形態に係るパラペット防水ユニット、ジョイント部防水ユニット及び屋根ユニットの断面図であり、（ａ）は各ユニットを組み付ける手前の分解図であり、（ｂ）は各ユニットを組み付けた状態を示す図である。
【図９】ジョイント部防水ユニットの断面図である。
【図１０】ジョイント部防水ユニットと屋根ユニットとの接合部分を説明するための分解図である。
【図１１】パラペット防水ユニットの変形例を説明するための断面図である。
【図１２】パラペット防水ユニットの変形例を説明するための断面図である。
【図１３】パラペット防水ユニットの変形例を説明するための断面図である。
【発明を実施するための形態】
【００１６】
以下、本発明に係る実施の形態について図面を参照しながら具体的に説明する。便宜上、実質的に同一の要素には同一の符号を付し、その説明を省略する場合がある。なお、本発明は、建物における屋根、ベランダ、バルコニー等の外装として配置される防水ユニットに広く適用可能であるが、ここでは、防水ユニットによって陸屋根を構築した場合の一例について説明する。
【００１７】
（第１の実施形態）
まず、第１の実施形態について説明する。図１は本実施形態に係るパラペット防水ユニットを備えて構成された陸屋根の平面図（伏図）である。鉄骨造の建物１００は、陸屋根を形成する屋根構造１０１Ａを備えている。屋根構造１０１Ａは、外縁Ｂ同士が互いに接合されて組み合わされた複数の屋根ユニット１Ａと、組み合わされた屋根ユニット１Ａの周囲を囲むパラペット防水ユニット３０とによって形成されている。なお、屋根ユニット１Ａ及びパラペット防水ユニット３０は予め工場等で製作されたものであり、トラック等によって工場等から現場へ搬送され、クレーン等により吊り上げられて建物に取付けられる。また、屋根ユニット１Ａとして、同じ大きさのものを図示しているが、屋根ユニット１Ａの大きさは屋根の形状や大きさによって適宜変更されるものである。また、パラペット防水ユニット３０は、配置される場所によって異なる平面形状を有しているが、基本的な構成は共通している。また、本実施形態における建物１００は、所定の平面モジュールを有している。この平面モジュールとは、建築において設計上の基準となる基本寸法を意味し、建物１００は、平面的寸法（隣り合う柱の中心間の距離など）が平面モジュールの整数倍となるように構成される。
【００１８】
図２に示されるように、屋根ユニット１Ａは、デッキプレート２と、勾配材３と、断熱材５と、押さえボード６と、防水シート（防水部）７とを備えている。デッキプレート２は、建物１００の平面モジュールに対応した平面サイズを備えた鋼板部材である。デッキプレート２には、一方向（図１の溝方向Ｄ参照）に延びる複数の溝２ａが一定の間隔で連続して形成されている。溝２ａは、例えば７５ｍｍ程度の深さであり、底部に向かって幅が狭くなっている。これにより、デッキプレート２は、側面視台形状の山部２ｂと、側面視逆台形状の谷部２ｃとが繰り返し形成される略波形状を呈する。デッキプレート２において、溝方向Ｄ（図１参照）に平行な端部Ｂ１，Ｂ２は、谷部２ｃで終わっている。
【００１９】
勾配材３は、屋根ユニット１Ａの上面に所定の勾配をつけるためのものである。勾配材３は、例えば、１／５０〜１／１００程度の水勾配が形成された板状部材である。本実施形態では、勾配材３は断熱機能を有するポリスチレンフォームによって形成されている。勾配材３は、デッキプレート２よりも上に配置されている。
【００２０】
断熱材５は、屋根ユニット１Ａに要求される断熱性能を付与するためのものである。断熱材５は、厚さが均一な板状部材であり、例えばフェノールフォームである。本実施形態では、断熱材５が２層重ねて設けられている。なお、断熱材５は、屋根ユニット１Ａに要求される断熱性能に応じて、１層であってもよいし、３層以上であってもよい。断熱材５は、デッキプレート２よりも上に配置されるものであり、本実施形態では、勾配材３の上に配置されている。なお、勾配材３が所望の断熱性を有し断熱材としても機能する場合は、断熱材５を省略してもよい。
【００２１】
押さえボード６は、断熱材５よりも上に配置される板状部材である。押さえボード６は、少なくとも断熱材５よりも高い剛性を備えるものであり、例えば、セメント系ボード（ケイカル板、パルプ混入セメント板、スラグ石膏ボード、硬質木片セメント板、繊維混入スレート板等）、木材、木質ボード（合板、パーティクルボード、ＭＤＦ、ＯＳＢ、ハードボード、ＣＬＴ、集成材、樹脂木材等）等によって形成される。
【００２２】
防水シート７は、屋根ユニット１Ａに防水性を付与するためのものであり、屋根ユニット１Ａの最上層に配置される。防水シート７は、例えばポリ塩化ビニルによって形成されるシート材である。また、防水シート７の材料としては、ポリ塩化ビニル以外に、アスファルト系シート、ゴムアスファルト系シート、ゴム系シート、ブチルゴム系シート、アクリルゴム系シート等の種々のシートを用いてもよい。なお、以下の説明では、防水シート７の固定態様として、主に全面接着工法による接着を例示するが、例えば、機械固定工法（例えば、絶縁工法、浮かし張り工法）、接着と機械固定の混合工法等による固定であってもよい。さらに、防水シート７に代えて、押さえボード６の上面にウレタン系塗膜防水を施した防水部を形成してもよい。
【００２３】
また、本実施形態では、デッキプレート２の周縁において、デッキプレート２と勾配材３との間に、適宜に補強プレート１１，１２が配置されている。補強プレート１１（図１参照）は、デッキプレート２の溝方向Ｄに直交する帯状のプレートであり、例えば、補強プレート１１は、デッキプレート２の溝方向Ｄの両端に配置される。補強プレート１１は、少なくとも複数の山部２ｂに架け渡され、当該複数の山部２ｂのうち少なくとも二つ以上の山部２ｂに対して固定されることで、デッキプレートが撓むことを抑制する。補強プレート１１は、例えば鋼製であるが、鋼製以外にも、他の金属類（鉄、ステンレス、アルミニウム、銅等）であってもよい。
【００２４】
また、図１〜図３に示されるように、補強プレート１２は、溝方向Ｄに延びる帯状のプレートであり、デッキプレート２の溝方向Ｄに平行な外縁Ｂにおいて、他の屋根ユニット１Ａと接合される端部Ｂ１に設けられている。補強プレート１２は、少なくとも、端部Ｂ１の谷部２ｃに隣接した山部２ｂに固定されるものであり、その山部２ｂに沿って延在している。特に図３に示されるように、補強プレート１２における、端部Ｂ１側の端縁１２ａは、外縁の谷部２ｃの上方に向かって持ち出されている。
【００２５】
屋根ユニット１Ａは、デッキプレート２の上面に補強プレート１１，１２が配置され、その上に勾配材３、断熱材５、押さえボード６、防水シート７が順次積層されて形成される。屋根ユニット１Ａには、押さえボード６からデッキプレート２までが密着した状態で、押さえボード６側からビス（固定具）１４が打ち込まれている。ビス１４は、頭抜け防止のために断面がＬ形のワッシャー１５を介して打ち込まれている。これにより、押さえボード６、断熱材５、勾配材３、補強プレート１１，１２及びデッキプレート２は一体的に固定される。この際、断熱材５及び勾配材３は、押さえボード６とデッキプレート２とによって挟持される。このように一体的に固定された押さえボード６の上面には、粘着剤７ａによって防水シート７が接着される。粘着剤７ａは、防水シート７を押さえボード６に密着させるために、ゴム系粘着剤が望ましい。例えば、ネオプレーン系、クロロプレーン系、ニトリルゴム系、天然ゴム系の粘着剤が使用される。なお、ビス１４の頭抜け防止のために使用されるワッシャーは、上述のような断面がＬ形のワッシャーに限定されるものではなく、平面視で円形状の平ワッシャー（後述するワッシャー３２と同形状）でもよい。
【００２６】
図３に示されるように、本実施形態における屋根ユニット１Ａでは、他の屋根ユニット１Ａと接合される側の端部Ｂ１において、防水シート７、押さえボード６、断熱材５、勾配材３及びデッキプレート２の端縁が揃っている。この端部Ｂ１では、図４に示されるように、デッキプレート２の谷部２ｃに支持材１６が配置される。支持材１６は、谷部２ｃの形状に対応して設けられる上面１６ａ、斜面１６ｂ及び底面１６ｃと、上面１６ａ、斜面１６ｂ及び底面１６ｃに直交する側面１６ｄとを備える。支持材１６は、例えば鋼製からなり、断熱材５及び押さえボード６を下方から支持するものである。支持材１６は、谷部２ｃの溝方向に沿って、所定の間隔（例えば３００ｍｍ程度）で配置される。
【００２７】
図２及び図３に示されるように、隣接する屋根ユニット１Ａ間では、デッキプレート２同士がジョイントプレート１７によって接合される。屋根ユニット１Ａのデッキプレート２は、その端縁が谷部２ｃとなっている。この谷部２ｃには、溝方向Ｄにそって所定のピッチで接合部１８ａが形成されている（図４（ｂ）参照）。接合部１８ａは、例えば予めデッキプレート２に溶接されたナットからなる。ジョイントプレート１７は、デッキプレート２の溝方向Ｄの長さと略同じ長さに形成された板状の鋼材である。ジョイントプレート１７には、長さ方向に沿ってボルト貫通用の孔部１７ａ，１７ｂが、接合部１８ａと同じピッチで形成されている。孔部１７ａ，１７ｂは、接続対象となる２つのデッキプレート２にそれぞれ対応したものである。隣接した屋根ユニット１Ａにおけるデッキプレート２に、ジョイントプレート１７がボルト１７ｃ，１７ｄによって固定されることで、屋根ユニット１Ａ同士が接合される。
【００２８】
また、隣接する屋根ユニット１Ａの上面側では、防水シート７間に生じる間隙が防水シート７と同一材料からなる防水テープ２０によって塞がれる。図３に示されるように、まず、ビス１４や、ワッシャー１５によって防水シート７が損傷しないように、屋根ユニット１Ａの押さえボード６に目地テープ２１が接着される。そして、目地テープ２１の上に防水シート７の端部を両側から被せた後、防水シート７と防水テープ２０が溶着される。なお、押さえボード６に目地テープ２１が接着されるためには、図３に示されるように、防水シート７の端部の目地テープ２１と重なる領域が、工場等での製作時点で押さえボード６に接着されていない必要がある。
【００２９】
図２、図５に示されるように、屋根ユニット１Ａでは、他の屋根ユニット１Ａと接合されない側の端部（パラペット防水ユニット３０と接合される側の端部）Ｂ２において、デッキプレート２の端縁が防水シート７、押さえボード６、断熱材５及び勾配材３の各端縁よりも飛び出している。換言すると、デッキプレート２よりも防水シート７、押さえボード６、断熱材５及び勾配材３が後退している。図示例では、防水シート７、押さえボード６、断熱材５及び勾配材３の端縁がデッキプレート２の外縁寄りの山部２ｂの中央で揃っている。これにより、デッキプレート２における外縁の谷部２ｃと、外縁寄りの山部２ｂの一部とが露出している。
【００３０】
デッキプレート２の端部Ｂ２は、谷部２ｃとなっている。この谷部２ｃには、溝方向に沿って所定のピッチで接合部１８ｂが形成されている。接合部１８ｂは、例えばボルト貫通用の孔部である。この接合部１８ｂと、建物１００の梁１０５に予め設けられた孔部１０５ａとがボルト１９ａ及びナット１９ｂによって接合されることで、屋根ユニット１Ａが建物１００に接合される。本実施形態では、谷部２ｃが露出しているため、デッキプレート２の上面側からボルト１９ａを挿通してナット１９ｂと締結し、屋根ユニット１Ａを建物１００の梁１０５に接合することができる。なお、梁１０５の上フランジの下面側からボルト１９ａを挿通してナット１９ｂと締結し、屋根ユニット１Ａを建物１００の梁１０５に接合してもよい。屋根ユニット１Ａが接合された梁１０５は、外壁取付部材（図示省略）を介して建物１００の外壁１１０を支持している。屋根ユニット１Ａの端部Ｂ２と外壁１１０との間には、パラペット防水ユニット３０が配置される。
【００３１】
図５に示されるように、パラペット防水ユニット３０は、プレート３１と、勾配材３と、断熱材５と、押さえボード６と、防水シート７とを備えている。勾配材３、断熱材５、押さえボード６及び防水シート７は、屋根ユニット１Ａと同様の構成である。プレート３１は、側面視略Ｚ形状の板状部材であり、略平板状の底面部３１ｂと、底面部３１ｂの外縁から垂直に立ち上がる側面部３１ｃと、側面部の上端から直角に曲がって外方に延びる上面部３１ａとを有する。プレート３１は、例えば鋼製であるが、鋼製以外にも、他の金属類（鉄、ステンレス、アルミ、銅等）、木材、木質ボード（合板、パーティクルボード、ＭＤＦ、ＯＳＢ、ハードボード、ＣＬＴ、集成材、樹脂木材等）、セメント系ボード（ケイカル板、パルプ混入セメント板、スラグ石膏ボード、硬質木片セメント板、繊維混入スレート板等）であってもよい。
【００３２】
パラペット防水ユニット３０は、プレート３１における底面部３１ｂの上面に勾配材３、断熱材５、押さえボード６、防水シート７が順次積層されて形成される。図示例では、底面部３１ｂは、側面部３１ｃから勾配材３の中央付近まで延在しているが、後述する変形例のように底面部３１ｂによって勾配材３の下面の全体が覆われていてもよい。プレート３１の側面部３１ｃの上側、及び、プレート３１の上面部３１ａは、押さえボード６よりも上方に突出するように立ち上がっている。押さえボード６からプレート３１までは、密着した状態で、押さえボード６側からワッシャー３２を介してビス１４が打ち込まれている。本実施形態では、その先端がプレート３１から突出するように、ビス１４が押さえボード６からプレート３１までを貫通することで、押さえボード６、断熱材５、勾配材３及びプレート３１が一体的に固定される。プレート３１の下面側に突出したビス１４の先端は、例えば樹脂製のキャップ（被覆部材）１４ａによって被覆されている。押さえボード６の上面には、粘着剤７ａによって防水シート７が接着される。防水シート７は、プレート３１の側面部３１ｃ及び上面部３１ａにも接着される。プレート３１の上面部３１ａと防水シート７との間には、笠木３５が設けられる。
【００３３】
パラペット防水ユニット３０は、一方の側縁側（一端側）が梁１０５に設けられたＺ型の金属プレートであるパラペット下地１１５に支持され、他方の側縁側（他端側）が屋根ユニット１Ａのデッキプレート２に支持される。パラペット防水ユニット３０の一端側には、プレート３１の上面部３１ａに重なるように、防水シート７、及び笠木３５が配置され、更に、上面部３１ａ、防水シート７、及び笠木３５を貫通するように孔部３６が形成されている。この孔部３６には、パラペット下地１１５の上面に予め固定されているボルト１１５ａが通され、更にナット１１５ｂで締結されて、パラペット防水ユニット３０がパラペット下地１１５に接合される。また、パラペット防水ユニット３０のプレート３１の側面部３１ｃはパラペット下地１１５の内側壁面に当接しており、底面部３１ｂは、パラペット下地１１５に固定された断面Ｌ字状のアングル１１６に支持されている。
【００３４】
パラペット防水ユニット３０の他端側は、屋根ユニット１Ａのデッキプレート２における露出した山部２ｂに支持される。この状態で、ビス１４は、パラペット防水ユニット３０における押さえボード６側から、屋根ユニット１Ａにおけるデッキプレート２までを貫通して接合するように打ち込まれる。なお、パラペット防水ユニット３０と屋根ユニット１Ａとの隙間は、上面側から貼り付ける目地テープ２１及び防水テープ２０によって塞がれる。
【００３５】
屋根構造１０１Ａは、上述の通り、屋根ユニット１Ａとパラペット防水ユニット３０とが接合されることで形成される。屋根構造１０１Ａは、勾配材３によって所定の勾配が形成されている。本実施形態では、例えば図６に示されるように、屋根ユニット１Ａごとに寄棟状の勾配が形成されている。この例では、隣接する屋根ユニット１Ａ間が勾配の谷部Ｅとなる。各屋根ユニット１Ａに振った雨水は、屋根ユニット１Ａの勾配によって谷部Ｅまで流れ、さらに谷部Ｅを流れることでパラペット防水ユニット３０まで流れる。パラペット防水ユニット３０では、図示しない排水口に向かって傾斜するように勾配が形成されており、パラペット防水ユニット３０まで流れた雨水は、この勾配によって排水口に流入する。この流れによる排水と、谷部Ｅに水溜りとして残存する雨水の蒸発により、屋根ユニット１Ａに降った雨水が速やかに処理される。なお、陸屋根の屋根構造１０１Ａ全体で一つの寄棟状の勾配が形成されてもよい。
【００３６】
（第２の実施形態）
次に図７を参照して第２の実施形態に係る屋根構造１０１Ｂについて説明する。本実施形態に係る屋根構造１０１Ｂは、屋根ユニット１Ａとは異なる屋根ユニット１Ｂを用いる点と、パラペット防水ユニット３０ではなくパラペット部分を備えた屋根防水ユニット１Ｐを用いる点で、第１の実施形態に係る屋根構造１０１Ａと相違する。以下、主として第１の実施形態と相違する点について説明し、同一の要素や部材については同一の参照番号を付して詳しい説明は省略する。
【００３７】
屋根ユニット１Ｂは、第１の実施形態における屋根ユニット１Ａと基本的な構成は同じである。すなわち、屋根ユニット１Ｂは、デッキプレート２の上面に補強プレート１１，１２が配置され、その上に勾配材３、断熱材５、押さえボード６、防水シート７が順次積層されて形成される。押さえボード６からデッキプレート２までは、密着した状態で、押さえボード６側からワッシャー３２を介してビス１４が打ち込まれている。
【００３８】
この屋根ユニット１Ｂでは、デッキプレート２の溝方向Ｄ（図１参照）に平行な両側の端部Ｂ１において、防水シート７、押さえボード６、断熱材５、勾配材３及びデッキプレート２の端縁が揃っている。そのため、第１の実施形態における屋根ユニット１Ａでは、一方の外縁における谷部２ｃのみに支持材１６が設けられていたが、本実施形態の屋根ユニット１Ｂでは、いずれの外縁においても谷部２ｃに支持材１６が設けられている。また、デッキプレート２における溝方向Ｄに平行な外縁の谷部２ｃには、隣接する屋根防水ユニット１Ｐと接合するための接合部１８ａが設けられている。
【００３９】
また、上述のように、本実施形態では、パラペット部分を備えた屋根防水ユニット１Ｐが用いられる。屋根防水ユニット１Ｐは、デッキプレート２の上面にプレート４１、勾配材３、断熱材５、押さえボード６、防水シート７が順次積層されて形成される。この屋根防水ユニット１Ｐは、屋根ユニット１Ａと異なり、補強プレート１１，１２を備えておらず、代わりにパラペット部分を形成するためのプレート４１を備えている。
【００４０】
プレート４１は、第１の実施形態に係るパラペット防水ユニット３０におけるプレート３１の底面部３１ｂが屋根防水ユニット１Ｐの端部まで延在した形状となっている。そのため、プレート４１は、補強プレート１１とプレート３１の２つの機能を兼ね備えている。押さえボード６からデッキプレート２までは、密着した状態で、押さえボード６側からワッシャー３２を介してビス１４が打ち込まれている。また、屋根防水ユニット１Ｐでは、デッキプレート２の溝方向に平行な両側の端部において、ビス１４が押さえボード６からプレート４１までを貫通している。なお、プレート４１の底面部が屋根防水ユニット１Ｐの端部まで延在した形状ではなく、屋根防水ユニット１Ｐにおける最もパラペットに近い山部２ｂまで延在した形状であってもよい。
【００４１】
屋根防水ユニット１Ｐにおいて、デッキプレート２における梁１０５に接合される側の端部の谷部２ｃには、溝方向Ｄにそって所定のピッチで接合部１８ｂが形成されている。また、屋根防水ユニット１Ｐにおける屋根ユニット１Ｂに接合される側の端部では、防水シート７、押さえボード６、断熱材５、勾配材３及びデッキプレート２の端縁が揃っている。一方で、反対側の端部は、防水シート７、押さえボード６、断熱材５及び勾配材３が、デッキプレート２よりも突出し、パラペット部分を形成している。プレート４１は、側面視略Ｚ形状に屈曲しており、上面部４１ａと防水シート７との間には、パラペット防水ユニット３０と同様に、笠木３５が設けられる。
【００４２】
屋根ユニット１Ｂと屋根防水ユニット１Ｐとの接合は、第１の実施形態における屋根ユニット１Ａ同士の接合と同様であり、ジョイントプレート１７が用いられる（図３参照）。屋根ユニット１Ｂ及び屋根防水ユニット１Ｐの上面側では、防水シート７間に生じる間隙が目地テープ２１及び防水テープ２０によって塞がれる。また、屋根防水ユニット１Ｐとパラペット下地１１５との接合は、第１の実施形態におけるパラペット防水ユニット３０とパラペット下地１１５との接合と同様である（図５参照）。屋根防水ユニット１Ｐにおけるデッキプレート２の接合部１８ｂと梁１０５との接合は、ボルト１９ａを梁１０５側から締結する点において、第１の実施形態と相違する。
【００４３】
（第３の実施形態）
次に図８〜図１０を参照して第３の実施形態に係る屋根構造１０１Ｃについて説明する。屋根構造１０１Ｃでは、屋根ユニット１Ａとは異なる屋根ユニット１Ｃを用いる点で、第１の実施形態に係る屋根構造１０１Ａと相違しており、つまり、隣接する屋根ユニット１Ｃ間の納まりのみが第１の実施形態と相違している。以下、主として第１の実施形態と相違する点について説明し、同一の要素や部材については同一の参照番号を付して詳しい説明は省略する。
【００４４】
屋根ユニット１Ｃは、第１の実施形態における屋根ユニット１Ａと基本的な構成は同じである。すなわち、屋根ユニット１Ｃは、デッキプレート２の上面に補強プレート１１，１２が配置され、その上に勾配材３、断熱材５、押さえボード６、防水シート７が順次積層されて形成される。押さえボード６からデッキプレート２までは、密着した状態で、押さえボード６側からビス１４が打ち込まれている。
【００４５】
屋根ユニット１Ｃでは、隣接する他の屋根ユニット１Ｃと接合されない側の端部Ｂ２は、第１の実施形態と同様のパラペット防水ユニット３０と接合される。屋根ユニット１Ｃとパラペット防水ユニット３０の接合及びパラペット防水ユニット３０と梁１０５との接合は、第１の実施形態と同様である。
【００４６】
一方、他の屋根ユニット１Ｃと接合される側の端部Ｂ２では、防水シート７、押さえボード６、断熱材５及び勾配材３の各端縁よりもデッキプレート２の端縁が飛び出している。この構成は、パラペット防水ユニット３０に接合される側の端部Ｂ２と同様である。なお、屋根ユニット１Ｃ同士の接合は、ジョイントプレート１７によってなされるため、他の屋根ユニット１Ｃと接合される側の端部Ｂ２には、ジョイントプレート１７と接合するための接合部１８ａが形成されている。図示例における屋根ユニット１Ｃ同士の接合では、ボルトが上側から挿通されるため、接合部１８ａは例えばデッキプレート２の下面に設けられる。
【００４７】
隣接する屋根ユニット１Ｃ同士は、第１の実施形態と同様に、デッキプレート２の谷部２ｃ同士がジョイントプレート１７によって接合される。そして、当該接合部分の上方にジョイント部防水ユニット５０が配置される。図９に示されるように、ジョイント部防水ユニット５０は、プレート５１と、勾配材３と、断熱材５と、押さえボード６と、防水シート７とを備えている。勾配材３、断熱材５、押さえボード６及び防水シート７は、屋根ユニット１Ａと同様の構成である。プレート５１は、板状部材であり、例えば鋼製であるが、鋼製以外にも、他の金属類、木材、木質ボード、セメント系ボード等であってもよい。
【００４８】
ジョイント部防水ユニット５０は、プレート５１の上面に勾配材３、断熱材５、押さえボード６、防水シート７が順次積層されて形成される。図示例では、プレート５１は、勾配材３の下面の全面を被覆しているが、勾配材３の下面を部分的に被覆していてもよい。押さえボード６からプレート５１までは、密着した状態で、押さえボード６側からワッシャー３２を介してボルト５４が貫通している。本実施形態では、ボルト５４の先端がプレート５１から突出しており、ボルト５４の先端にナット５５が螺合されることで、押さえボード６、断熱材５、勾配材３及びプレート５１が一体的に固定される。また、プレート５１におけるボルト５４が貫通する位置に、勾配材３側に凹んだ凹部５１ａが形成されている。ボルト５４の先端とナット５５は、ボルト５４の貫通方向に直交する方向から見たときに、凹部５１ａの内側に収まっている。すなわち、ボルト５４の先端とナット５５は、プレート５１の下面よりも上側に位置している。押さえボード６の上面には、粘着剤７ａによって防水シート７が接着される。なお、図示例では、防水シート７は、押さえボード６の両端部に接着されていない形態となっているが、接着されていてもよい。
【００４９】
図１０に示されるように、ジョイント部防水ユニット５０は、隣接する屋根ユニット１Ｃ間における露出した山部２ｂに載置された状態で、ワッシャー１５を介してビス１４によって隣接する屋根ユニット１Ｃのデッキプレート２に固定される。屋根ユニット１Ｃ及びジョイント部防水ユニット５０の上面側では、防水シート７間に生じる間隙が目地テープ２１及び防水テープ２０によって塞がれる。
【００５０】
以上、各実施形態に示されたパラペット防水ユニット３０、ジョイント部防水ユニット５０及び屋根防水ユニット１Ｐでは、押さえボード６、断熱材５及びプレート３１，４１，５１が、押さえボード６からプレート３１，４１，５１までを貫通するビス１４又はボルト５４によって一体化されている。これにより、従来必要であったと考えられる、断熱材を接着する際の接着剤の塗布範囲、塗布量、養生時間等の管理が不要となる。また、接着剤のみによって断熱材を固定する場合に比べて、断熱材をより確実に固定することができるため、施工時や搬入時における断熱材の剥離や脱落を抑制することができる。したがって、施工性や搬入性が向上した防水ユニットを提供することができる。なお、各実施形態では、押さえボード６、断熱材５及びプレート３１，４１，５１が、ビス１４、ボルト５４等の固定具のみによって一体化されているが、接着剤、両面テープ等の他の固定手段を併用してもよい。
【００５１】
また、パラペット防水ユニット３０において、固定具として用いられるビス１４は、その先端がプレート３１から突出するように押さえボード６からプレート３１までを貫通し、プレート３１から突出したビス１４の先端は、キャップ１４ａによって被覆されている。このように、ビス１４の先端を被覆することによって、ビス１４の先端が他の建築部材を傷つけることを防止できる。また、防水ユニットを取り扱う作業者がビス１４の先端に触れることを防止することができる。
【００５２】
また、ジョイント部防水ユニット５０において、プレート５１から突出したボルト５４の先端にはナット５５が螺合されている。このように、ボルト５４及びナット５５を用いることで、押さえボード６からプレート５１までをより確実に固定することができる。
【００５３】
また、プレート５１は、ボルト５４が貫通する位置に対応した凹部５１ａを有し、ボルト５４の先端は、凹部５１ａの内側に収まっている。このように、ボルト５４の先端が凹部５１ａ内に収まっているため、先端によって他の建築部材が傷付けられることが抑制される。また、上記各実施形態では、例えば屋根ユニット１Ａがデッキプレート２を屋根下地としているが、デッキプレート２に代えてＡＬＣパネルのような平坦な屋根下地が使用されることも考えられる。このような場合であっても、ジョイント部防水ユニット５０が平坦な屋根下地の上に載置された際に、ボルト５４の先端が屋根下地を傷つけることがない。
【００５４】
また、パラペット防水ユニット３０においては、底面部３１ｂの外縁から押さえボード６の上方まで立ち上がる側面部３１ｃ及び上面部３１ａを備えており、これによってパラペット部分が形成される。このように、施工手間がかかるパラペット部を含めて予めユニット化されているので現場での施工性を向上させることができる。
【００５５】
以上、本発明の実施の形態について図面を参照して詳述したが、具体的な構成はこの実施形態に限られるものではない。
【００５６】
例えば、パラペット防水ユニットとして図１１、図１２、または図１３に例示するような態様を採用してもよい。第１の変形例に係るパラペット防水ユニット１３０（図１１参照）、第２の変形例に係るパラペット防水ユニット２３０（図１２参照）、及び第３の変形例に係るパラペット防水ユニット３３０（図１３参照）は、例えば第１の実施形態及び第３の実施形態におけるパラペット防水ユニット３０に代えて使用されるものである。
【００５７】
第１の変形例に係るパラペット防水ユニット１３０は、プレート１３１と、勾配材３と、断熱材５と、押さえボード６と、防水シート７とを備えている。勾配材３、断熱材５、押さえボード６及び防水シート７は、屋根ユニット１Ａと同様の構成である。プレート１３１は、板状部材であり、例えば鋼製であるが、鋼製以外にも、他の金属類、木材、木質ボード、セメント系ボード等であってもよい。
【００５８】
パラペット防水ユニット１３０は、プレート１３１の上面に勾配材３、断熱材５、押さえボード６、防水シート７が順次積層されて形成される。図示例では、プレート１３１は、勾配材３の下面の全面を被覆しているが、勾配材３の下面を部分的に被覆する態様でもよい。押さえボード６からプレート１３１までは、密着した状態で、押さえボード６側からワッシャー３２を介してボルト５４が貫通している。本実施形態では、ボルト５４の先端がプレート１３１から突出しており、ボルト５４の先端にナット５５が螺合されることで、押さえボード６、断熱材５、勾配材３及びプレート１３１が一体的に固定される。また、プレート１３１におけるボルト５４が貫通する位置に、勾配材３側に凹んだ凹部１３２が形成されている。ボルト５４の先端とナット５５とは、ボルト５４の貫通方向に直交する方向から見たときに、凹部１３２の内側に収まっている。すなわち、ボルト５４の先端とナット５５とは、プレート１３１の下面よりも上側に位置している。
【００５９】
押さえボード６の一方側の外縁には、パラペットを形成するための立ち上がり部が設けられている。立ち上がり部は、側面部材６ａと上面部材６ｂとを備えており、押さえボード６に対して一体的に固定されることで、側面視略Ｚ形状となる。側面部材６ａ及び上面部材６ｂは、例えば、押さえボード６と同様の材料によって形成される板状部材である。本実施形態では、押さえボード６のパラペット側の端部が、側面部材６ａの厚さの分だけ断熱材５から後退している。そして、この押さえボード６が後退した部分に、側面部材６ａが上側に立ち上がるように配置される。押さえボード６と側面部材６ａとは、側面部材６ａ側からビスが打ち込まれることによって固定されている。上面部材６ｂは、押さえボード６と反対側（パラペット側）に幅方向の一端が突出するように、側面部材６ａの上端に配置される。上面部材６ｂと側面部材６ａとは、上面部材６ｂ側からビスが打ち込まれることによって固定されている。押さえボード６の上面には、粘着剤７ａによって防水シート７が接着される。防水シート７は、側面部材６ａ及び上面部材６ｂまで延在しており、粘着剤７ａによって側面部材６ａ及び上面部材６ｂにも接着されている。さらに、上面部材６ｂと防水シート７との間には、笠木３５が固定される。上面部材６ｂ、防水シート７、及び笠木３５には、パラペット防水ユニット３０と同様に、パラペット防水ユニット１３０をパラペット下地１１５に固定するための孔部が形成されている。
【００６０】
第２の変形例に係るパラペット防水ユニット２３０（図１２参照）は、図１１に示されるパラペット防水ユニット１３０のプレート１３１に代えてプレート２３１を備えるものである。プレート２３１は、側面視略Ｚ形状の板状部材であり、略平板状の底面部２３１ｂと、底面部２３１ｂの外縁から垂直に立ち上がる側面部２３１ｃと、側面部の上端から直角に曲がって外方に延びる上面部２３１ａとを有する。プレート２３１は、例えば鋼製であるが、鋼製以外にも、他の金属類、木材、木質ボード、セメント系ボードであってもよい。パラペット防水ユニット２３０では、底面部２３１ｂの上面に勾配材３、断熱材５、押さえボード６、防水シート７が順次積層されて形成されており、側面部材６ａ及び上面部材６ｂによって立ち上がり部が形成されている。図示例において、底面部２３１ｂは、勾配材３の下面の全面を被覆しているが、勾配材３の下面を部分的に被覆する態様でもよい。押さえボード６からプレート２３１までは、密着した状態で、押さえボード６側からワッシャー３２を介してボルト５４が貫通している。本実施形態では、ボルト５４の先端がプレート２３１から突出しており、ボルト５４の先端にナット５５が螺合されることで、押さえボード６、断熱材５、勾配材３及びプレート２３１が一体的に固定される。また、プレート２３１におけるボルト５４が貫通する位置に、勾配材３側に凹んだ凹部２３２が形成されている。ボルト５４の先端とナット５５とは、ボルト５４の貫通方向に直交する方向から見たときに、凹部２３２の内側に収まっている。
【００６１】
プレート２３１の側面部２３１ｃの上側、及び、プレート２３１の上面部２３１ａは、押さえボード６よりも上方に突出するように立ち上がっている。また、側面部２３１ｃは勾配材３、断熱材５及び側面部材６ａに接しており、上面部２３１ａは上面部材６ｂに接している。笠木３５、上面部材６ｂ及び上面部２３１ａは、笠木３５側から上面部２３１ａまでビスが打ち込まれることによって固定されている。
【００６２】
第３の変形例に係るパラペット防水ユニット３３０（図１３参照）は、図１１に示されるパラペット防水ユニット１３０のプレート１３１と断熱材５との間、より詳しくは、プレート１３１と勾配材３との間に不燃材３３１が配置されている。不燃材３３１は、例えば、通常の火災時における火熱により燃焼しない性能を有する材料であり、建築基準法第２条第９号に定められる不燃材料のほか、建築基準法施行令第１条第５号に基いて認定された準不燃材料が含まれる。不燃材３３１は、ＡＬＣ板、石膏ボード、ケイカル板、木毛セメント板、木片セメント板、硬質木片セメント板等であってもよい。不燃材３３１を用いることで、耐火性を向上できる。また、不燃材３３１として、断熱材５や勾配材３よりも剛性の高い板材を用いることで、強度の向上にも有利である。
【００６３】
以上のような、パラペット防水ユニット１３０，２３０，３３０によれば、上述したパラペット防水ユニット３０と同様の作用効果を得ることができる。また、パラペット防水ユニット１３０，２３０，３３０では、側面部材６ａ及び上面部材６ｂによって立ち上がり部（パラペット部分の下地）が形成されている。上述のとおり、側面部材６ａ及び上面部材６ｂは、硬質木片セメント板、パルプ混入セメント板、木材、木質ボード、セメント系ボード等によって形成されるものであり、金属に比べて熱伝導率が低い（断熱性が高い）。そのため、パラペット防水ユニット３０のようにプレート３１のみによって立ち上がり部が形成された場合に比べて、冷橋を抑制することができる。
【００６４】
また、勾配材３がデッキプレート２と断熱材５との間に配置されている例を示したが、これに限定されない。例えば、勾配材３を断熱材５と押さえボード６との間に配置してもよい。この態様の場合、第３の変形例に係るパラペット防水ユニット３３０の不燃材３３１は、勾配材３を介在させることなく、プレート１３１と断熱材５との間に配置することができる。
【００６５】
また、パラペット防水ユニット３０及び屋根防水ユニット１Ｐでは、固定具としてビス１４が使用される例を示し、ジョイント部防水ユニット５０及びパラペット防水ユニット１３０，２３０，３３０では、固定具としてボルト５４が使用される例を示したが、これに限定されない。例えば、パラペット防水ユニット３０及び屋根防水ユニット１Ｐの固定具としてボルト５４が使用され、ジョイント部防水ユニット５０及びパラペット防水ユニット１３０，２３０，３３０の固定具としてビス１４が使用されてもよい。また、固定具は、ビス１４及びボルト５４に限定されるものではなく、押さえボードからプレートまでを貫通する部材であればよい。
【００６６】
また、パラペット防水ユニット３０、屋根防水ユニット１Ｐ、及びジョイント部防水ユニット５０では、プレート３１，４１，５１と断熱材５との間、またはプレート３１，４１，５１と勾配材３との間に不燃材は配置されていない。しかしながら、プレート３１，４１，５１と断熱材５との間、特に、プレート３１，４１，５１と勾配材３との間に、上記の第３の変形例に係るパラペット防水ユニット３３０と同様の不燃材３３１を配置してもよい。不燃材３３１を配置することにより、耐火性を向上できる。また、不燃材３３１として、断熱材５や勾配材３よりも剛性の高い板材を用いることで、強度の向上にも有利である。
【符号の説明】
【００６７】
１Ｐ…屋根防水ユニット（防水ユニット）、３…勾配材、５…断熱材、６…押さえボード、７…防水シート（防水部）、１４…ビス（固定具）、３０，１３０，２３０，３３０…パラペット防水ユニット（防水ユニット）、３１，４１，５１，１３１，２３１…プレート、５０…ジョイント部防水ユニット（防水ユニット）、５４…ボルト、５５…ナット、３３１…不燃材。
【図１】
0006653540.tif 000002
【図２】
0006653540.tif 000003
【図３】
0006653540.tif 000004
【図４】
0006653540.tif 000005
【図５】
0006653540.tif 000006
【図６】
0006653540.tif 000007
【図７】
0006653540.tif 000008
【図８】
0006653540.tif 000009
【図９】
0006653540.tif 000010
【図１０】
0006653540.tif 000011
【図１１】
0006653540.tif 000012
【図１２】
0006653540.tif 000013
【図１３】
0006653540.tif 000014